(57)【要約】【課題】顕著なコストアップにならずケーブルの屈曲耐久性への影響を与えることなくケーブルの通し孔を介して外部から水や汗などの液体が内部に浸入することを良好に防止できるヘッドホンを提供する。【解決手段】スピーカ(SP)と、内面において内方に向け突出する台座部(2c)が形成されたハウジング(2)と、台座部(2c)に設けられハウジング(2)の外側と内側とを連通する貫通孔(2b2)と、ハウジング(2)の内側においてスピーカ(SP)に接続されると共に貫通孔(2b2)を通してハウジング(2)の外側に引き出されたケーブル(5)と、貫通孔(2b2)とケーブル(5)との間に跨るよう塗布された塗布剤(HS)と、を備えた。【選択図】図２
2013005141.tif 000002
【特許請求の範囲】
【請求項１】
スピーカと、
内面において内方に向け突出する台座部が形成されたハウジングと、
前記台座部に設けられ前記ハウジングの外側と内側とを連通する貫通孔と、
前記ハウジングの内側において前記スピーカに接続されると共に前記貫通孔を通して前記ハウジングの外側に引き出されたケーブルと、
前記貫通孔と前記ケーブルとの間に跨るよう塗布された塗布剤と、
を備えたヘッドホン。
【請求項２】
前記ハウジングは筒状に形成されており、
前記台座部において前記貫通孔が開口する面が前記筒状のハウジングの中心軸線に対して傾斜していることを特徴とする請求項１記載のヘッドホン。
【請求項３】
前記台座部と前記ハウジングの内面とが接続する隅部に溝が形成されていることを特徴とする請求項１又は請求項２記載のヘッドホン。
【発明の詳細な説明】
【技術分野】
【０００１】
本発明は、ヘッドホンに係り、特に、ハウジングから外部に引き出されたケーブルの根本からハウジングの内部に水等の液体が浸入することを良好に防止できるヘッドホンに関する。
【背景技術】
【０００２】
ケーブルが、本体ハウジングに設けられたケーブル通し孔から直接引き出されたヘッドホン、又は、ケーブルが本体ハウジングから延出したブッシングの貫通孔（ケーブル通し孔）を介してその開口端から引き出されたヘッドホン、がよく知られている。
いずれの構造においても、本体ハウジング内において、ケーブルの先端はスピーカユニットの端子に半田付けなどにより接続されている。
また、ケーブルが引っ張られた際に、ケーブルがずれ出ないように、あるいは、ケーブル先端のスピーカユニットとの接続部に過剰な負荷がかからないように、ハウジングの内部においてケーブルを結わいた結び玉をつくっておくことが一般的に行われている。
【０００３】
特許文献１には、ヘッドホンであって、ケーブルが本体ハウジングに設けられたケーブル通し孔から直接引き出され、本体ハウジングの内部にそのケーブル通し孔よりも大きな径となる結び玉を形成した例が記載されている。
【先行技術文献】
【特許文献】
【０００４】
【特許文献１】特開２００５−１３０２４７号公報
【発明の概要】
【発明が解決しようとする課題】
【０００５】
近年、屋外でヘッドホンを使用したり、運動をしながらヘッドホンを使用することが一般化してきた。
そのため、ヘッドホンに雨や汗がかかっても不具合が生じないように、ハウジングやブッシングのケーブル通し孔から、雨や汗などの液体がハウジングの内部に入らないようにするための構造が必要になっている。
この構造として、ケーブルとハウジング又はブッシングとの間に、ゴム等のパッキング材を介在させたり、ケーブルとハウジング又はブッシングとを強嵌合にするなどにより密着固定させて液体の浸入経路を塞ぐことが検討されている。
【０００６】
しかしながら、前者は、ヘッドホンの形状に合わせた専用のパッキング材が必要で顕著なコストアップとなるため、安価で提供するヘッドホンには採用し難く、後者はケーブルの動きが制限されて屈曲可能な部位と密着固定させた境界部に過大な応力が付与される虞があるため、ケーブルの屈曲耐久性への影響が懸念されるという問題があった。
【０００７】
そこで、本発明が解決しようとする課題は、顕著なコストアップにならず、ケーブルの屈曲耐久性への影響を与えることなく、ケーブルの通し孔を介して外部から水や汗などの液体が内部に浸入することを良好に防止できるヘッドホン、を提供することにある。
【課題を解決するための手段】
【０００８】
上記の課題を解決するために、本願発明は手段として次の構成を有する。
１）  スピーカ(SP)と、
内面において内方に向け突出する台座部(2c)が形成されたハウジング(2)と、
前記台座部(2c)に設けられ前記ハウジング(2)の外側と内側とを連通する貫通孔(2b2)と、
前記ハウジング(2)の内側において前記スピーカ(SP)に接続されると共に前記貫通孔(2b2)を通して前記ハウジング(2)の外側に引き出されたケーブル(5)と、
前記貫通孔(2b2)と前記ケーブル(5)との間に跨るよう塗布された塗布剤(HS)と、
を備えたヘッドホン(51)である。
２）  前記ハウジング(2)は筒状に形成されており、
前記台座部(2c)において前記貫通孔(2b2)が開口する面が前記筒状のハウジング(2)の中心軸線(CL)に対して傾斜していることを特徴とする１）に記載のヘッドホン(51)である。
３）  前記台座部(2c)と前記ハウジング(2)の内面(2b3)とが接続する隅部に溝(2e)が形成されていることを特徴とする１）又は２）に記載のヘッドホン(51)である。
【発明の効果】
【０００９】
本発明によれば、顕著なコストアップにならず、ケーブルの屈曲耐久性への影響を与えることなく、ケーブルの通し孔を介して外部から水や汗などの液体が内部に浸入することを良好に防止できる、という効果が得られる。
【図面の簡単な説明】
【００１０】
【図１】本発明のヘッドホンの実施例を説明するための外観斜視図である。
【図２】本発明のヘッドホンの実施例を説明するための断面図である。
【図３】本発明のヘッドホンの実施例における後ハウジングを説明するための平面図である。
【図４】図３の斜視的Ａ−Ａ断面図である。
【図５】本発明のヘッドホンの実施例における後ハウジングの要部を説明するための部分平面図である。
【図６】本発明のヘッドホンの実施例における後ハウジングを説明するための斜視図である。
【図７】本発明のヘッドホンの実施例における塗布剤を説明するための図である。
【図８】本発明のヘッドホンの実施例の製造工程を説明するための第１の図である。
【図９】本発明のヘッドホンの実施例の製造工程を説明するための第２の図である。
【発明を実施するための形態】
【００１１】
本発明の実施の形態を、好ましい実施例により図１〜図９を用いて説明する。
【００１２】
図１は、本発明のヘッドホンの実施例を示す外観斜視図である。
図２は、図１のヘッドホンの縦断面図であり、図１の裏側から手前側を見た図である。
実施例のヘッドホン５１は、いわゆるカナル型と称される形態のヘッドホンであり、左耳用と右耳用とは左右対称形状となるので、以下、左耳用のヘッドホンを代表として説明する。
【００１３】
図１及び図２において、ヘッドホン５１は、筒状の音筒部１ａを有する前ハウジング１及び筒状の大径部２ａと筒状の小径部２ｂとを有する後ハウジング２が組み合わされてなる本体部ＨＴを有している。
音筒部１ａには、ゴムなどの柔軟材料で形成されたイヤピースＥＰが、着脱自在に装着されている。
【００１４】
図２に示されるように、本体部ＨＴの内部には、振動板ＳＢを有するスピーカユニットＳＰが収められている。スピーカユニットＳＰは、前ハウジング１に接着固定されている。
小径部２ｂには、内側と外側とを連通し、内側について開口部２ｂ２ｍ（以下、内側開口部２ｂ２ｍと称する）で、外側について外周面２ｂ１に開口部２ｂ２ｋにて開口する貫通孔２ｂ２が形成されている。
貫通孔２ｂ２は、外周面２ｂ１側（図２の下方側）が拡径する内周面を有して形成されている。貫通孔２ｂ２の外周面２ｂ１の出口（開口部２ｂ２ｋ）における縁部には、所定半径ＲでのＲ付けがされている。
スピーカユニットＳＰの後面ＳＰ１には、一対の端子ＳＰ２を有する基板ＰＣＢが取り付けられている。スピーカユニットＳＰの振動板ＳＢは、一対の端子ＳＰ２から入力された音声信号に基づいて振動し、その振動による音声が音筒部１ａから外部に放出される。
【００１５】
ケーブル５の一端側は端子ＳＰ２に接続されており、ケーブル５は結び玉ＭＤが結わえられてから貫通孔２ｂ２を通じて外部に引き出されている。
ケーブル５の他端側には、外部の再生機器などに接続するためのプラグ（図示せず）が設けられている。
結び玉ＭＤは、小径部２ｂの内面２ｂ３と、スピーカユニットＳＰの後面ＳＰ１とで囲まれた空間であるバックキャビティＢＣ内に収められている。
【００１６】
前ハウジング１及び後ハウジング２は、例えば、合成樹脂材で形成されている。合成樹脂材の例は、ＡＢＳ（アクリロニトリル・ブタジエン・スチレン）樹脂である。
前ハウジング１と後ハウジング２とは、例えば、超音波溶着により一体化されている。
【００１７】
バックキャビティＢＣの内部形状について、図３及び図４も用いて詳述する。
図３は、後ハウジング２を、前ハウジング１が装着される側から見た平面図であり、図４は、図３におけるＡ−Ａ断面を示す斜視的断面図である。
【００１８】
後ハウジング２の小径部２ｂは、概ね均一の肉厚で形成されているが、貫通孔２ｂ２の近傍部分は、他の部分よりも厚肉に形成された台座部２ｃとされている。
すなわち、台座部２ｃは、後ハウジング２の内面において、内方に突出するように形成されている。
具体的には、図２に示されるように、小径部２ｂの他の部分における平均的な肉厚ｔ１に対して、台座部２ｃの先端部２ｃｓでの肉厚ｔ２は、例えば２倍以上に設定される。
この肉厚ｔ２は、換言するならば、小径部２ｂの外周面２ｂ１から台座部２ｃの先端までの距離に相当する。
【００１９】
台座部２ｃのバックキャビティＢＣ側の面２ｃ１は平坦に形成され、小径部２ｂの底面２ｂ４に連結している。この面２ｃ１は、ヘッドホン５１の使用状態において天側に位置することから、以下、天面２ｃ１と称する。
天面２ｃ１の先端部２ｃｓ側は、円弧で形成されている。すなわち、台座部２ｃの先端部２ｃｓ側は、周面２ｃ２を有する略円筒状に形成されている。
天面２ｃ１のほぼ中央部分に貫通孔２ｂ２が開口している。
天面２ｃ１は、台座部２ｃの先端部２ｃｓから小径部２ｂの底面２ｂ４に向かうに従って、小径部２ｂの中心軸線ＣＬに近づくように傾斜している。すなわち、バックキャビティＢＣの容積を小さくする方向に傾斜している。
【００２０】
小径部２ｂの底面２ｂ４には、台座部２ｃの天面２ｃ１と対向するように立設するリブ２ｄが形成されている。
具体的には、リブ２ｄは、図３に示されるように、天面２ｃ１とほぼ平行に形成された板状の基部２ｄｋと、図３における左右両端において台座部２ｃ側に屈曲するよう設けられた側面部２ｄ１と、を有して、略コ字状に形成されている。
側面部２ｄ１は、リブ２ｄの先端部２ｄｓから根本部２ｄｎに向かうに従って拡幅（幅：図３の上下方向）するように形成されている。
【００２１】
リブ２ｄは、図３の上下方向において、台座部２ｃの天面２ｃ１における貫通孔２ｂ２の内側開口部２ｂ２ｍと対応した範囲を含むＵ字状の切り欠き部２ｄ２を有している。
切り欠き部２ｄ２は、そのＵ字状の開口がリブ２ｄの先端側に位置して設けられている。この位置は、射出成形における金型の抜き方向に依存し、順抜きで抜けるように設定されている。
切り欠き部２ｄ２の幅Ｗ１（図３参照）は、ケーブル５の外径と等しいかケーブル５が弾性変形を伴って通過できる程度にやや小さく形成され、かつ、結び玉ＭＤが通過できない寸法に設定されている。
すなわち、リブ２ｄは、結び玉ＭＤと貫通孔２ｂ２の間に位置するように形成されており、結び玉の位置を規制する位置規制部として機能する。
リブ２ｄが存在することにより、結び玉ＭＤが貫通孔２ｂ２や天面２ｃ１に当接することはない。
【００２２】
図５は、図３におけるリブ２ｄの拡大図である。
図５に示されるように、切り欠き部２ｄ２の縁部は、半径Ｒ１の凹面となるＲ付けがされていてもよい。
このＲ付けは、凸面となるＲ付けでもよく、あるいはＣ面取りでもよいが、図２に示されるように、縁部には結び玉ＭＤが当接するので、結び玉ＭＤの形状に適合した凹面となるＲ付けがされていることが最も好ましい。
【００２３】
図２に示されるように、ケーブル５は、外部から貫通孔２ｂ２に挿通され、台座部２ｃを経てバックキャビティＢＣ内に進入し、さらにリブ２ｄの切り欠き部２ｄ２を通過して結び玉ＭＤが形成され、先端のリードがスピーカユニットＳＰの端子ＳＰ２に接続されている。
【００２４】
従って、結び玉ＭＤは、バックキャビティＢＣ内において、リブ２ｄと、小径部２ｂにおける底面２ｂ４及び内側面２ｂ４と、スピーカユニットＳＰの後面ＳＰ１又は基板ＰＣＢと、に囲まれた空間Ｖ１に収められている。
従って、ケーブル５が外部から引っ張られても、結び玉ＭＤがリブ２ｄに引っかかってずれ出ることがなく、スピーカユニットＳＰの接続部である端子ＳＰ２に負荷が加わることがない。
【００２５】
また、ケーブル５が外部から引っ張られた際に、結び玉ＭＤはリブ２ｄに押しつけられるが、切り欠き部２ｄ２の縁部にＲ付けやＣ面取りが施されているので、折れ曲がりが急峻な角部が結び玉ＭＤに当接することがなく、結び玉ＭＤにキズが付いたり断線したりするなどの悪影響が及ばない。
【００２６】
台座部２ｃの根本部分には、台座部２ｃを囲むように溝２ｅが設けられていてもよい。
図６は、図３に対してケーブル５を結び玉ＭＤを含めて追記した状態をやや上方から見た斜視図であって、溝２ｅが形成された例である。
図６は、理解容易のため、結び玉ＭＤが簡略化した略円形で記載され、結び玉ＭＤからスピーカユニットＳＰへ向かう線は省略されている。
【００２７】
図６に示されるように、溝２ｅは、台座部２ｃが小径部２ｂの内面２ｂ３と接続する根本の隅部に台座部２ｃを取り囲むように形成されている。
図６では、溝２ｅの断面形状は弧状に記載されているが、断面形状は矩形や三角形などでもよく、限定されるものではない。
【００２８】
次に、ヘッドホン５１の要部に塗布された塗布剤である封止剤ＨＳについて詳述する。
図７（ａ）〜図７（ｃ）は、封止剤ＨＳの塗布範囲を説明するための図である。
図７（ａ）は、図３に対してケーブル５を結び玉ＭＤを含めて追記した図であり、図７（ｂ）は、図７（ａ）のＡ−Ａ断面図であり、図７（ｃ）は、図７（ａ）のＢ−Ｂ断面図である。
いずれの図も、封止剤ＨＳが最も多量に塗布された際のその占有空間が点ハッチングで示されている。ただし内面２ｂ３に薄膜状に付着した部分は除いて示されている。
【００２９】
図７（ａ）〜図７（ｃ）に示されるように、ヘッドホン５１は、バックキャビティＢＣ内において、リブ２ｄと、小径部２ｂにおける底面２ｂ４及び内側面２ｂ３と、台座部２ｃと、ケーブル５と、で囲まれた空間Ｖ２（図２，図３参照）に封止剤ＨＳが充填されている。封止剤ＨＳは、ケーブル５と底面２ｂ４との間にも回り込んで充填されている。空間Ｖ２は、別の呼び方をするならば、封止剤プールである。
封止剤ＨＳは、少なくとも、空間Ｖ２を形成する面同士に跨るように塗布されている。より詳しくは、台座部２ｃに開口する貫通孔２ｂ２とケーブルとの間にも両者を跨るように塗布されている。
ここで、充填とは、空間Ｖ２を完全に満たすことのみを意味するものではなく、空間Ｖ２の少なくとも一部の空間を占めるように封止剤ＨＳが存在していればよいことを意味する。
【００３０】
塗布剤である封止剤ＨＳとして、汎用の封止剤又は接着剤が使用できる。
一例として、常温硬化型のクロロプレンゴム系の接着剤が挙げられるが、ゴム系に限るものではなく、エポキシ系，ポリアミド系などであってもよい。硬化システムも限定されない。最も好ましいのは、隙間への浸透がよく、硬化後も柔軟性があり、硬化に伴う体積収縮が少ない封止剤又は接着剤である。
【００３１】
この封止剤ＨＳの塗布により、少なくとも、封止剤ＨＳがケーブル５と貫通孔２ｂ２とに跨るように存在し、両者の隙間が封止剤ＨＳで塞がれ、ケーブル５における、貫通孔２ｂ２のバックキャビティＢＣ側の出口から内側に向かう所定の範囲が封止剤ＨＳで覆われる。
そのため、雨や汗などの流体が小径部２ｂの外周面２ｂ１における貫通孔２ｂ２の開口部２ｂ２ｋ（図２参照）から浸入しても、後ハウジング２の内部、すなわち、本体部ＨＴの内部にまで浸入することはない。
【００３２】
また、台座部２ｃを設け、その天面２ｃ１から貫通孔２ｂ２の開口部２ｂ２ｋに相当する外周面迄の距離ｔ２を、平均肉厚ｔ１よりも大きくしているので、仮に封止剤ＨＳが塗布されてなくても、開口部２ｂ２ｋから雨や汗などの流体が浸入して台座部２ｃの天面に到達する可能性が極めて小さくなっている。
ヘッドホン５１では、その構成に対し、さらに封止剤ＨＳを、貫通孔２ｂ２の出口及び出口近傍に塗布しているので、流体が台座部２ｃの天面に到達する可能性はさらに小さくなっている。
【００３３】
次に、図８（ａ）〜（ｃ）、図９（ａ）〜（ｃ）を参照して封止剤ＨＳの塗布について、本体部ＨＴの組み立て方法と共に説明する。
図８（ａ）〜（ｃ）は、後ハウジング２の貫通孔２ｂ２にケーブル５を挿通した後から封止剤ＨＳの塗布時点までを示し、図９（ａ）〜（ｃ）は、封止剤ＨＳの塗布からケーブル５を位置決めし前ハウジング１と後ハウジング２とを組み合わせた状態までを示している。図９（ａ），（ｂ）では、結び玉ＭＤ，スピーカユニットＳＰ，及び前ハウジング１は省略してある。
【００３４】
（工程１）＜図８（ａ）参照＞
後ハウジング２の貫通孔２ｂ２にケーブル５を通し、結わいて結び玉ＭＤを形成する。
【００３５】
（工程２）＜図８（ｂ）参照＞
（イ）  ケーブル５の先端のリードをスピーカユニットＳＰの基板ＰＣＢにおける端子ＳＰ２に半田付けして接続する。
（ロ）  スピーカユニットＳＰを、前ハウジング１に対して、接着剤によって固定する。
イとロとは、いずれが先でもよい。同時に実施してもよい。
【００３６】
（工程３）＜図８（ｃ）参照＞
後ハウジング２を、開口部が天側（上方）を向く姿勢で治具（図示せず）上に保持し、ディスペンサＤＰによって封止剤ＨＳを所定量塗布する。
塗布の狙い位置は、例えば、リブ２ｄと台座部２ｃとの隙間及び台座部２ｃの先端部２ｃｓ側の側面２ｃ２である。図８（ｃ）は、リブ２ｄと台座部２ｃとの隙間を狙いとして充填している例を示している。リブ２ｄと台座部２ｃとの隙間は空間Ｖ２の入口でもあるが、狭いので台座部２ｃの側面２ｃ２を含めて狙い位置とする方が作業は楽であり、故に塗布不良も低減する。
【００３７】
（工程４）＜図９（ａ）参照＞
図９（ａ）は、ディスペンサＤＰにより、封止剤ＨＳを台座部２ｃの先端部２ｃｓ側の側面２ｃ２を狙いとして充填している例を示している。
塗布作業によってリブ２ｄと台座部２ｃとの隙間に入れ込まれた封止剤ＨＳは、そのまま空間Ｖ２に充填され、側面２ｃ２にかかった封止剤ＨＳは、自重によって、台座部２ｃ及びリブ２ｄなどで形成された空間Ｖ２内に充填されるよう移動する。
その際、溝２ｅに到達した封止剤ＨＳは、溝２ｅを伝い、台座部２ｃの根本隅部を良好に流動して空間Ｖ２の奥側へ入り込む。空間Ｖ２の奥側とは、小径部２ｂの底面２ｂ４側である。
すなわち、溝２ｅは、封止剤ＨＳの塗布工程において、流動する封止剤ＨＳを空間Ｖ２の奥側へ誘導する誘導経路となっている。
また、溝２ｅは、その存在により、封止剤ＨＳが必要としない範囲（例えば、図９（ａ）の土手ＡＲ２の範囲）にまで広がって塗布されることを防止している。
【００３８】
（工程５）＜図９（ｂ）参照＞
図９（ｂ）は、空間Ｖ２に応じて予め設定された塗布量を塗布し終えた状態が示されている。封止剤ＨＳは、空間Ｖ２にほぼ充填されている。台座部２ｃの天面２ｃ１における貫通孔２ｂ２の内側開口部２ｂ２ｍも、ケーブル５との隙間は封止剤ＨＳにより塞がれている。
【００３９】
（工程６）＜図９（ｃ）参照＞
ケーブル５を外方向（矢印方向）に引っ張り、結び玉ＭＤを所定の位置に収める。結び玉ＭＤの所定の位置は、リブ２ｄと当接する位置である。
このケーブル５の引っ張り作業により、空間Ｖ２に充填された封止剤ＨＳの一部が、ケーブル５と共に貫通孔２ｂ２の内部に引きずり込まれ、貫通孔２ｂ２内にもわずかに充填される。貫通孔２ｂ２内に入り込んだ封止剤ＨＳを、便宜的に封止剤ＨＳ１と称する。
ケーブル５の引っ張り量は、貫通孔２ｂ２の距離ｔ３〔図９（ｃ）参照〕以下とするのが望ましい。封止剤ＨＳ１は、ケーブル５の屈曲を許容できるようにある程度柔軟性を有することが好ましい。
封止剤ＨＳ１によって貫通孔２ｂ２の内面とケーブル５との隙間がすべて充填されることはないので、ケーブル５の屈曲性に悪影響が及ぶことはない。
【００４０】
ケーブル５を所定の位置にした後、前ハウジング１と後ハウジング２とを超音波溶着により一体化し、封止剤ＨＳの硬化システムに基づく硬化工程を経て本体部ＨＴの組み立てが完了する。
【００４１】
空間Ｖ２の奥側は、封止剤ＨＳがケーブル５の脇を通り抜けて回り込むように充填されるので、手前側よりも充填され難く、場合により、充填が未完了になるという懸念が生じることに対し、実施例のヘッドホン５１では、台座部２ｃの天面２ｃ１が傾斜しており空間Ｖ２は、奥側ほど狭くなっている。
従って、より少ない封止剤ＨＳで、空間Ｖ２の奥側（小径部２ｂの底面２ｂ４側の空間であり、少なくともケーブル５の脇を通り抜けて回り込み充填される空間）が満たされるので、より確実に封止剤ＨＳを空間Ｖ２に充填させることができ、その懸念は払拭される。
【００４２】
また、台座部２ｃが設けられていることにより、貫通孔２ｂ２の長手距離が後ハウジング２の平均肉厚よりも大きくなっている。
従って、外部から流体が後ハウジング２の内部に浸入し難くなっているばかりでなく、工程６のケーブル５の引っ張り作業によって封止剤ＨＳ１を形成することが容易になっている。
すなわち、ヘッドホン５１は、流体の貫通孔２ｂ２を介した内部への浸入が極めて良好に防止される構造となっている。
【００４３】
ヘッドホン５０は、台座部２ｃと所定距離だけ離間したリブ２ｄを有している。すなわち、封止剤ＨＳが結び玉ＭＤに塗布されることがないようになっている。
これにより、結び玉ＭＤの表面の凹凸に封止剤ＨＳがからむことがないので、より確実に、かつ少ない量の封止剤ＨＳで塗布が実行できる。
また、リブ２ｄにより、空間Ｖ２の容積が明確になる。
これにより、ディスペンサを用いた自動計量及び自動塗布が容易に行えるのでヘッドホン５１の生産性が大いに向上する。
【００４４】
ケーブル５は、封止剤ＨＳにより後ハウジング２と固定されている。従って、外部からケーブル５を押し込む力が加わっても、その力が硬化した封止剤ＨＳを破壊する程に過剰でない限り、ケーブル５は移動しない。
従って、端子ＳＰ２に外部からの力が加わる機会はほとんどなく、接続不良が使用過程で生じる可能性が極めて低くなっている。
【００４５】
以上、詳述したように、実施例のヘッドホン５１は、専用のパッキングやシール材を部品点数を増やして用いることなく流体の内部浸入を良好に防止できるので、顕著なコストアップになることはない。また、貫通孔２ｂ２とケーブル５との間隙が完全に封止剤ＨＳで埋まることはないので、ケーブル５の屈曲性が確保され、ケーブル５に悪影響は及ばない。
【００４６】
本発明の実施例は、上述した構成及び手順に限定されるものではなく、本発明の要旨を逸脱しない範囲において変形例としてもよいのは言うまでもない。
【００４７】
ヘッドホン５１は、カナル型に限定されない。
ケーブル５は、本体部ＨＴのハウジング部材から直接引き出されているものに限らない。
例えば、後ハウジング２の貫通孔２ｂ２にブッシングが嵌め込まれ、そのブッシングを介してケーブル５が引き出されていてもよい。
ハウジングは、前ハウジング１と後ハウジング２とに２分割されているものに限らない。３分割以上でもよい。また、前後に分割されるものに限らない。上下分割、左右分割などでもよく、分割位置や分割方向は限定されない。
【符号の説明】
【００４８】
１  前ハウジング、１ａ  音筒部
２  後ハウジング、２ａ  大径部、２ｂ  小径部、２ｂ１  外周面、２ｂ２  貫通孔、２ｂ２ｋ，２ｂ２ｍ  内側開口部、２ｂ３  内面、２ｂ４  底面、２ｃ  台座部、２ｃ１  天面、２ｃｓ  先端部、２ｃ２  側面、２ｄ  リブ、２ｄｋ  基部、２ｄ１  側面部、２ｄ２  切り欠き部、２ｄｓ  先端部、２ｄｎ  根本部
２ｅ  溝
５  ケーブル
５１  ヘッドホン
ＢＣ  バックキャビティ
ＣＬ  中心軸線
ＤＰ  ディスペンサ
ＥＰ  イヤピース
ＨＳ  封止剤
ＨＴ  本体部
ＭＤ  結び玉
ＳＢ  振動板、ＳＰ  スピーカユニット、ＳＰ１  後面、ＳＰ２  端子
Ｖ１，Ｖ２  空間
【図１】
2013005141.tif 000003
【図２】
2013005141.tif 000004
【図３】
2013005141.tif 000005
【図４】
2013005141.tif 000006
【図５】
2013005141.tif 000007
【図６】
2013005141.tif 000008
【図７】
2013005141.tif 000009
【図８】
2013005141.tif 000010
【図９】
2013005141.tif 000011